(57)【要約】【課題】  本発明は、特に、幼児の食に関する新しい技術を提案するものであって、少々の食べこぼしがあっても親の手伝いはなく幼児だけで食事をできるようなデザインのエプロンを提供しようとするものである。また、このエプロンは、サイズと形状をすこし変えるだけで、障害者用や高齢者用にも用いることができる、というものである。【解決手段】  本件発明は、食べこぼしが床に落下するのを防止するための食べこぼし防止エプロンであって、腕をとおす袖部と、前記袖部に腕を通した状態での体側面部分から体前面部分にかけてを覆うエプロン本体部と、前記エプロン本体部のすそに設けられたすそ反し部と、前記すそ反し部の一部に設けられ、すそ反し部の中の体前面部分を食卓に係止するための係止部と、を有する食べこぼし防止エプロンに関するものである。【選択図】  図１
2005298989.tif 000002
【特許請求の範囲】
【請求項１】
食べこぼしが床に落下するのを防止するための食べこぼし防止エプロンであって、
腕をとおす袖部と、
前記袖部に腕を通した状態での体側面部分から体前面部分にかけてを覆うエプロン本体部と、
前記エプロン本体部のすそに設けられたすそ反し部と、
前記すそ反し部の一部に設けられ、すそ反し部の中の体前面部分を食卓に係止するための係止部と、
を有する食べこぼし防止エプロン。
【請求項２】
前記係止部は、クリップである請求項１に記載の食べこぼし防止エプロン。
【請求項３】
前記エプロン本体部の前記体前面部には、エプロン本体部の他の部分よりも凹んだ堀が設けられている
請求項１又は２に記載の食べこぼし防止エプロン。
【請求項４】
前記袖部に腕を通すさいの腕入れ口面積は、腕を通す際の袖口面積よりも大きい請求項１から３のいずれか一に記載の食べこぼし防止エプロン。
【請求項５】
前記エプロン本体部には、液体状の食べこぼしをゲル化するゲル化剤を配したゲル化剤配置部を有する
請求項１から４のいずれか一に記載の食べこぼし防止エプロン。
【請求項６】
前記すそ反し部には、液体状の食べこぼしをゲル化するゲル化剤を配したゲル化剤配置部を有する
請求項１から４のいずれか一に記載の食べこぼし防止エプロン。
【請求項７】
前記すそ反し部は、梁状部材をわたして形成される溝からなる請求項１から６に記載の食べこぼし防止エプロン。
【発明の詳細な説明】
【技術分野】
【０００１】
本発明は、食事の際に装着する子供用あるいは介護用のエプロンであって、主に食事中の食べこぼしを防止するためのエプロンの形状、材質などに関する。
【背景技術】
【０００２】
近年は、健常者と障害者の垣根を取り払い障害者の自立を可能となしうる工業デザイン手法が一般的になりつつある。ユニバーサルデザイン、アシスティブテクノロジーなどは、まさしく障害者をアシストする技術であって、近年、米国を中心にその設計思想が構築され、また実用化に向けてさまざまなガイドラインが作られ、すでに、一般の用に供せられている。高齢化社会を迎える日本においても、障害者だけでなく、高齢者を対象としたデザインコンセプトに基づく、さまざまな商品開発は喫緊の課題である。日常生活の中でも食事にかける時間と頻度はもっとも多く、食事を対象とした商品の開発は、急務であると考えられる。また、こうした設計という面とは別に、女性の自立という意味で、女性の労働時間が長時間化するにしたがって、子供をいかに早く自立させるかが重要な課題となっている。家事の中でももっとも負担の大きい子育ての様々な局面において子供の自立を促すことは、まさに、障害者や高齢者の自立と同じ課題を有している。
【特許文献１】特許出願２０００−１９１８７０
【発明の開示】
【発明が解決しようとする課題】
【０００３】
本発明は、斯かる実情に鑑み、幼児の食に関する新しい技術を提案するものであって、少々の食べこぼしがあっても親の手伝いはなく幼児だけで食事をできるようなデザインのエプロンを提供しようとするものである。また、このエプロンは、サイズと形状をすこし変えるだけで、障害者用や高齢者用にも用いることができる、というものである。
【課題を解決するための手段】
【０００４】
発明１  食べこぼしが床に落下するのを防止するための食べこぼし防止エプロンであって、腕をとおす袖部と、前記袖部に腕を通した状態での体側面部分から体前面部分にかけてを覆うエプロン本体部と、前記エプロン本体部のすそに設けられたすそ反し部と、前記すそ反し部の一部に設けられ、すそ反し部の中の体前面部分を食卓に係止するための係止部と、を有する食べこぼし防止エプロン。
【０００５】
発明２  前記係止部は、クリップである発明１に記載の食べこぼし防止エプロン。
【０００６】
発明３  前記エプロン本体部の前記体前面部には、エプロン本体部の他の部分よりも凹んだ堀が設けられている発明１又は２に記載の食べこぼし防止エプロン。
【０００７】
発明４  前記袖部に腕を通すさいの腕入れ口面積は、腕を通す際の袖口面積よりも大きい発明１から３のいずれか一に記載の食べこぼし防止エプロン。
【０００８】
発明５  前記エプロン本体部には、液体状の食べこぼしをゲル化するゲル化剤を配したゲル化剤配置部を有する発明１から４のいずれか一に記載の食べこぼし防止エプロン。
【０００９】
発明６  前記すそ反し部には、液体状の食べこぼしをゲル化するゲル化剤を配したゲル化剤配置部を有する発明１から４のいずれか一に記載の食べこぼし防止エプロン。
【００１０】
発明７  前記すそ反し部は、梁状部材をわたして形成される溝からなる発明１から６に記載の食べこぼし防止エプロン。
【発明の効果】
【００１１】
本発明は請求項１から請求項６の何れか一もしくは二以上の請求項からなる食べこぼし防止エプロンであって、（１）少々の食べこぼしがあっても食事に支障がでない、また、（２）装着も簡単であり、このエプロンを廃棄可能に構成している場合には食べこぼした食べ物とともに廃棄すればよいのであとかたづけの手間がない、さらに、（３）子供用としてはもちろん、高齢者や障害者の自立を促すエプロンとして用いることができる、などの効果を奏する。
【発明を実施するための最良の形態】
【００１２】
以下、本発明の実施の形態について、図面を用いて説明する。なお、本発明は、これら実施形態に何ら限定されるべきものではなく、その要旨を逸脱しない範囲において、種々なる態様で実施し得る。
【００１３】
実施形態１は、主に請求項１などに関する。
【００１４】
実施形態２は、主に請求項２などに関する。
【００１５】
実施形態３は、主に請求項３などに関する。
【００１６】
実施形態４は、主に請求項４などに関する。
【００１７】
実施形態５は、主に請求項５などに関する。
【００１８】
実施形態６は、主に請求項６などに関する。
【００１９】
実施形態７は、主に請求項７などに関する。
【００２０】
≪概念≫
【００２１】
図１は、本件発明の概念を表す図である。
【００２２】
本件発明は、食べこぼしが床に落下するのを防止するための食べこぼし防止エプロン１である。袖部２と、エプロン本体部３と、に関しては普通のエプロンと変わらないが、エプロンのすその部分にすそ反し部４があることと、さらに、このすそ反し部のうち体前面部分５については、これを食卓テーブルに止めるための留め金すなわち係止部と、を有する食べこぼし防止エプロンである。例えば、図１においては、子供がバナナを食べようとする際に、もうひとつのバナナを落としてしまうが、それがすそ反し部に乗った状態になっている。また、図中のポップコーンを食べようとして、これも一部を落とすがこれもすそ返し部にて受け止められる。なお、図１は、子供がエプロンを装着した場合を図示しているが、これが障害者や高齢者であってもよい。
【００２３】
≪実施形態１≫
【００２４】
<実施形態１の全体構成>
【００２５】
図２から９は、実施形態１の構成を示す図である。
【００２６】
実施形態１は、袖部２と、エプロン本体部３と、すそ反し部４と、係止部５と、を有する食べこぼし防止エプロンである。
【００２７】
<実施形態１の構成の説明>
【００２８】
「袖部」は、腕をとおす袖の部分を言う。袖口は、腕の一部に密着するようになっていてよい。袖の長さは、長くても短くてもよい。また、腕に密着させる方法は、紐を引き絞る、マジックテープで調整する、ゴムの弾性を利用する、などの方法であってよい。また、袖は、自由に動くように二重構造になっていてもよい。さらに、二重構造の内側は、メッシュ状になった布であってもよい。袖部は、よく動かすために、破れにくい素材が使われていることが望ましい。特に、ひじの部分は強化されていることが望ましい。
【００２９】
「エプロン本体部」は、前記袖部に腕を通した状態での体側面部分から体前面部分にかけてを覆う部分を言う。つまり、エプロン本体部は、身体の前面と側面を主として覆うものを言う。エプロンの主なる機能は、体側面部分と体前面部分にかけてを覆うことにより達成させるが、エプロン本体部は体背面部を有していても良い。また、エプロン本体部は、体を覆うのみならず、適度なスロープをもって、すそ反し部に食べこぼしが溜り、すそ反し部から食べこぼしがあふれる出ることを防ぐという機能を有する。したがって、エプロン本体部は、ほどよく弾性を有し、かつすそ反し部も含めて形状が維持されることが望ましい。すなわち、図２から４のような形状を維持する必要がある。
【００３０】
「すそ反し部」は、前記エプロン本体部のすそに設けられた部位を言う。すそ反しがあることによって、食べこぼしが防止される。ただし、このすそ反しが機能するためには、すその部分の反しを維持する必要がある。すなわち、この部分の剛性が確保される必要がある。この部分の剛性を維持するために、この反しの溝の部分の形状が変わらないことが重要である。例えば、この形状が変わらないように、ワイヤが入っていても良い。食べこぼしの液体などによって、すそと、すそ反し部と、が変形しないような素材が望ましい。エプロン本体部と、袖部と、すそ反し部と、に関しては、素材は、紙、化学繊維、ビニール、プラスチック類、およびこれらの組み合わせあるいは合成体などであってもよい。ただし、形状が維持できるように紙などの液体成分吸収性のものについては、特に、すそ反し部については、表面に防水加工を施すことが望ましい。
【００３１】
「係止部」は、前記すそ反し部の一部に設けられ、すそ反し部の中の体前面部分を食卓に係止するためのものである。前面に止める方法および位置は、さまざまな形態があってよい。例えば、図５のように、すそ返し部５が食卓１５と同じ位置にあるような場合であってもよい。さらに、図６のように、すそ反し部５が食卓１５の下の位置に来るような場合であってもよい。なお、係止部は、体前面部分だけでなく、体側面部分にあってもよい。また、この係止部は、マジックテープによるものであってもよく、その場合は、食卓側と本エプロン側の双方にマジックテープがあらかじめ設置されている必要がある。また、前記係止部は、ポストイットのような何度もの接着が可能なものであってもよい。このポストイットの場合には、本エプロン側にポストイットが設置されていればよい。また、食卓に金属板が貼り付けられており、これに磁石で本エプロンを係止してもよい。
【００３２】
なお、構成要件にははいっていないが、体背面部分の止め方については、図７から９に示すようなさまざまな形態が考えられる。図７は、体背面部分は、ボタン６によって止める場合を示している。図８は、体背面部分をマジックテープ７によって止める場合を示している。また、図９は、体背面部がないようなタイプの食べこぼし防止エプロンの場合であって、このような場合は、ボタンやマジックテープをつけるスペースがない場合には、首回りのヒモ８で止める、あるいは、首周りのゴムで止めるなどであってよい。もちろん、このような方法に限定されるものでないことは言うまでもない。
【００３３】
<実施形態１の効果>
【００３４】
実施形態１によれば、食べこぼしはエプロンのすそ反し部によって、エプロン外に出ることはないので、食べこぼし防止が可能となる、という効果を奏する。さらに、本エプロンの素材を紙や、リサイクル可能な紙や布地あるいは生分解性の布地などで作ることによって、使い捨てが可能となる。さらに、水洗い可能な素材にすることによって、何度も使うことが可能になる、などの効果を奏する。
【００３５】
≪実施形態２≫
【００３６】
<実施形態２の全体構成>
【００３７】
図１０と１１は、実施形態２を説明するための図である。
【００３８】
実施形態２は、実施形態１を基本として、袖部と、エプロン本体部と、すそ反し部と、係止部と、を有する食べこぼし防止エプロンであって、特徴点は、前記係止部は、クリップ９である実施形態１に記載の食べこぼし防止エプロンである点である。
【００３９】
<実施形態２の構成の説明>
【００４０】
実施形態２の袖部と、エプロン本体部と、すそ反し部と、係止部と、に関しては、実施形態１と基本的機能は共通であるため、詳細な説明は省略する。
【００４１】
実施形態２の特徴点は、「係止部」は、クリップである点である。クリップの一端は、すそ返し部あるいは、エプロン本体部についていてもよい。図１０、図１１は、実施形態２の一例を表したものであり、図１０は、クリップの一端がエプロン本体部３についており、図１１の場合は、クリップの一端がすそ反し部４についたものである。クリップとエプロン本体部との間、あるいは、クリップとすそ返し部の間、に関しては、あらかじめ、食べこぼし防止エプロンに固定されていてもよく、また、マジックテープなどを用いて取り外し可能であってもよい。また、クリップは、食卓に係止できるものであればどんなものであってもよい。図１２は、一例であるが、クリップの外形図を表すものである。図１２に例示したクリップ９は、クリップ本体を軽微にするために、棒状の金属を折り曲げて、つまみを指で挟むことによって、つかみ口を開いたり１０、閉じたり９するものである。すそ反し部の中の体前面部分を食卓に係止することができるクリップであれば、どんなクリップでもよい。また、クリップは、すそ返し部の先端部分に取り付けられていてもよく、その場合は、図６に示すように、食卓の下にエプロンすそ返し部があるような場合にこのクリップを用いることができる。
【００４２】
<実施形態２の効果>
【００４３】
実施形態２によれば、食べこぼし防止エプロンを、すそ反し部の体前面部分を食卓に容易に係止できる、という効果を奏する。
【００４４】
≪実施形態３≫
【００４５】
<実施形態３の全体構成>
【００４６】
図１３は、実施形態３を説明するための概念図である。
【００４７】
実施形態３は、実施形態１又は２を基本として、袖部２と、エプロン本体部３と、すそ反し部４と、係止部５と、を有する食べこぼし防止エプロンであって、特徴点は、前記エプロン本体部の前記体前面部には、エプロン本体部の他の部分よりも凹んだ堀１１が設けられている点である。
【００４８】
<実施形態３の構成の説明>
【００４９】
実施形態３の袖部と、エプロン本体部と、すそ反し部と、係止部と、に関しては実施形態１又は２と基本的機能は共通であるために、詳細な説明は省略する。
【００５０】
実施形態３の特徴点は、前記エプロン本体部の前記体前面部には、エプロン本体部の他の部分よりも凹んだ堀が設けられている点である。この堀を設けることによって、食べこぼしは、この堀の中に集積する。また、この堀の中に食べこぼしが集積することによって、この食べこぼし防止の機能を発揮しやすくなる。また、体前面に食べこぼしの掘があるために、食べこぼし防止エプロンが安定しやすくなる。また、この堀にそって、剛性の高い素材を入れることによって、胸のところから食卓に向かって下りの勾配を確保できるために、食べこぼしがエプロン上を食卓の側にすべっていくので、食卓側に食べこぼしの重量が増えるために、エプロンを装着する人間側は、重くならないという効果がある。
【００５１】
<実施形態３の効果>
【００５２】
実施形態３によれば、堀に食べこぼしが集積するために、食べこぼし防止の機能をさらに発揮しやすくなり、また、食べこぼし防止エプロンが安定する、あるいは、エプロンに加わる食べこぼしの重量の負担が軽くなる、などの効果を奏する。
【００５３】
≪実施形態４≫
【００５４】
<実施形態４の全体構成>
【００５５】
図１４は、実施形態４の袖部の説明をするための図である。
【００５６】
実施形態４は、実施形態１から３のいずれか一を基本として、袖部と、エプロン本体部と、すそ反し部と、係止部と、を有する食べこぼし防止エプロンであって、特徴点は、前記袖部に腕を通すさいの腕入れ口面積１３は、腕を通す際の袖口面積１２よりも大きい点である。
【００５７】
<実施形態４の構成の説明>
【００５８】
実施形態４の袖部と、エプロン本体部と、すそ反し部と、係止部と、に関しては実施形態１から３の何れか一と基本的機能は共通であるために、詳細な説明は省略する。
【００５９】
実施形態４の特徴点は、前記袖部に腕を通すさいの腕入れ口面積は、腕を通す際の袖口面積よりも大きい点である。これによって、食べこぼし防止エプロンの装着が容易になる。特に、子供であれば、両腕を「前に倣え」の形で、突き出させ、そこに、本食べこぼし防止エプロンを前から腕を通させるようにすると、簡単に装着させることができる。
【００６０】
<実施形態４の効果>
【００６１】
実施形態４によれば、食べこぼし防止エプロンを簡単に装着することができる、という効果を奏する。
【００６２】
≪実施形態５≫
【００６３】
<実施形態５の全体構成>
【００６４】
実施形態５は、実施形態１から４の何れか一を基本として、袖部と、エプロン本体部と、すそ反し部と、係止部と、を有する食べこぼし防止エプロンであって、特徴点は、前記エプロン本体部には、液体状の食べこぼしをゲル化するゲル化剤を配したゲル化剤配置部を有する点である。
【００６５】
<実施形態５の構成の説明>
【００６６】
実施形態５の袖部と、エプロン本体部と、すそ反し部と、係止部と、に関しては実施形態１から４の何れか一と基本的機能は共通であるために、詳細な説明は省略する。
【００６７】
実施形態５の特徴点は、前記エプロン本体部には、液体状の食べこぼしをゲル化するゲル化剤を配したゲル化剤配置部を有する点である。このゲル化剤を配することによって、食べこぼし防止エプロンでも、その防止が難しい液体状の食べこぼしを容易に防止することができる。特に、ゲル化剤配置部は、例えば、前記堀の部分であってもよい。また、ゲル化剤配置部は、食卓に近いことが望ましい。首に近い側や体側面部分にあると、液体状の食べこぼしがゲル化した場合にその重量が首や肩にかかってくるためである。また、このゲル化剤のほか、これに変わるもの、吸湿性材料、例えば、ティッシュペーパーやトイレットペーパーのようなものをゲル化剤の代わりに用いてもよい。
【００６８】
<実施形態５の効果>
【００６９】
実施形態５によれば、食べこぼしの防止が難しい液体状の食べこぼしも容易に防止することができる、という効果を奏する。特に、掘の部分に設けることによって、本エプロンが安定するという効果を奏する。さらに、本食べこぼし防止エプロンを使い捨てにする場合には、液体状の食べこぼしはゲル化しているために、処分しやすい、という効果も奏する。
【００７０】
≪実施形態６≫
【００７１】
<実施形態６の全体構成>
【００７２】
実施形態６は、実施形態１から４の何れか一を基本として、袖部と、エプロン本体部と、すそ反し部と、係止部と、を有する食べこぼし防止エプロンであって、特徴点は、前記すそ反し部には、液体状の食べこぼしをゲル化するゲル化剤を配したゲル化剤配置部を有する点である。
【００７３】
<実施形態６の構成の説明>
【００７４】
実施形態６の袖部と、エプロン本体部と、すそ反し部と、係止部と、に関しては実施形態１から４の何れか一と基本的機能は共通であるために、詳細な説明は省略する。
【００７５】
実施形態６の特徴点は、前記すそ反し部には、液体状の食べこぼしをゲル化するゲル化剤を配したゲル化剤配置部を有する点である。このゲル化剤は、すそ返し部の表側にゲル化剤が配される。このゲル化剤を配することによって、食べこぼし防止エプロンでも、その防止が難しい液体状の食べこぼしを容易に防止することができる。特に、ゲル化剤配置部は、例えば、前記堀の部分であってもよい。また、ゲル化剤配置部は、体前面部分に主として設けることが望ましい。体側面部分にあると、液体状の食べこぼしがゲル化した場合にその重量が首や肩にかかってくるためである。また、このゲル化剤のほか、これに変わるもの、吸湿性材料、例えば、ティッシュペーパーやトイレットペーパーのようなものをゲル化剤の代わりに用いてもよい。
【００７６】
<実施形態６の効果>
【００７７】
実施形態６によれば、食べこぼしの防止が難しい液体状の食べこぼしも容易に防止することができる、という効果を奏する。さらに、本食べこぼし防止エプロンを使い捨てにする場合には、液体状の食べこぼしはゲル化しているために、処分しやすい、という効果も奏する。
【００７８】
≪実施形態７≫
【００７９】
<実施形態７の全体構成>
【００８０】
図１５と図１６は、実施形態７を説明するための概念図である。
【００８１】
実施形態７は、実施形態１から６のいずれか一を基本として、袖部２と、エプロン本体部３と、すそ反し部４と、係止部５と、を有する食べこぼし防止エプロンであって、特徴点は、前記すそ反し部は、梁状部材１４をわたして形成される溝からなる点である。
【００８２】
<実施形態７の構成の説明>
【００８３】
実施形態７の袖部と、エプロン本体部と、すそ反し部と、係止部と、に関しては実施形態１から６の何れか一と基本的機能は共通であるために、詳細な説明は省略する。
【００８４】
実施形態の特徴点は、前記すそ反し部は、梁状部材をわたして形成される溝からなる点である。梁状部材とは、すそ返し部とエプロン本体部との間に掛け渡される引っ張り応力だけを伝達する紐状部材、あるいは、引張と圧縮を受ける剛性および圧縮引張強度のある軸力伝達部材、あるいは、曲げ引張を受ける軸力曲げ部材、あるいは、曲げ圧縮をうける圧縮曲げ部材、あるいは、単純曲げを受ける曲げ部材、のいずれかの特性を有する梁状部材（剛性を持たせるために幅ないし厚みのある部材）であってよい。この部材の前記特性に応じてすそ反し部とエプロンの剛性および強度および、すそ反し部とエプロン本体部の接合部の剛性および強度が決定されることが望ましい。すなわち、梁状部材とエプロン本体部と、エプロン本体部からなる溝が、特に液状の食べこぼしがあった場合に、液状の食べこぼしがこぼれないように、前記それぞれの部位は、溝形状が安定するような関係であればよい。また、梁状部材は複数あってよい。複数ある梁状部材の間隔は、一定であってもそうでなくてもよい。
【００８５】
また、すそ返し部の梁状部材は溝に対して略垂直方向にある壁状部材（仕切りのような形状）であってもよい。
【００８６】
また、紐状部材というのは、薄くて幅のある帯状部材であってもよい。
【００８７】
<実施形態７の効果>
【００８８】
実施形態７によれば、すそ反し部の溝の形態が安定するために、特に、液状の食べこぼしがあってもエプロンからこぼれ難くなる、という効果を奏する。
【００８９】
尚、本発明の食べこぼし防止エプロンは、上記した実施の形態に限定されるものではなく、本発明の要旨を逸脱しない範囲内において種々変更を加え得ることは勿論である。
【産業上の利用可能性】
【００９０】
本発明の食べこぼし防止エプロンは、介護者の必要な高齢者や、まだ自力で食事ができない、乳幼児などにも用いることができる。
【図面の簡単な説明】
【００９１】
【図１】本発明の食べこぼし防止エプロンの概念図
【図２】実施形態１の食べこぼし防止エプロンの側面図
【図３】実施形態１の食べこぼし防止エプロンの平面図
【図４】実施形態１の食べこぼし防止エプロンの前面から見た図
【図５】実施形態１の食べこぼし防止エプロンと食卓の関係の一例
【図６】実施形態１の食べこぼし防止エプロンと食卓の関係の一例
【図７】実施形態１の食べこぼし防止エプロンの体背面部分の一例
【図８】実施形態１の食べこぼし防止エプロンの体背面部分の一例
【図９】実施形態１の食べこぼし防止エプロンの体背面部分の一例
【図１０】実施形態２の食べこぼし防止エプロンと食卓とクリップの関係の一例
【図１１】実施形態２の食べこぼし防止エプロンと食卓とクリップの関係の一例
【図１２】実施形態２のクリップの一例
【図１３】実施形態３の堀を表す部分断面図
【図１４】実施形態４の袖部の腕入れ口面積と、袖口面積を表す図
【図１５】実施形態７の梁状部材を含む食べこぼし防止エプロンの概念図
【図１６】実施形態７の梁状部材を含む食べこぼし防止エプロンの断面を表す図
【符号の説明】
【００９２】
１  食べこぼし防止エプロン
２  袖部
３  エプロン本体部
４  すそ反し部
５  係止部
９  クリップ
１１  堀
１２  袖口面積
１３  腕入れ口面積
１４  梁状部材
【図１】
2005298989.tif 000003
【図２】
2005298989.tif 000004
【図３】
2005298989.tif 000005
【図４】
2005298989.tif 000006
【図５】
2005298989.tif 000007
【図６】
2005298989.tif 000008
【図７】
2005298989.tif 000009
【図８】
2005298989.tif 000010
【図９】
2005298989.tif 000011
【図１０】
2005298989.tif 000012
【図１１】
2005298989.tif 000013
【図１２】
2005298989.tif 000014
【図１３】
2005298989.tif 000015
【図１４】
2005298989.tif 000016
【図１５】
2005298989.tif 000017
【図１６】
2005298989.tif 000018